(57)【要約】【課題】製造コストの削減を図りながら、簡素な構造で機能水を供給可能な機能水生成用タンクを提供する。【解決手段】水の注出口１２ａが設けられる下室１２の上方に上面を閉じた上室１３が配されるとともに上室１３の周壁１３ａの外側に上面を開放した給水口１４を形成して周壁１３ａの下端で下室１２の水位を一定に保持する貯水部１５と、貯水部に浸漬されるとともに一対の電極１１ａ、１１ｂを有して電気分解により機能水を生成する電気分解部１１とを備え、電気分解により電極から発生するガスが給水口１４に導かれるようにした。【選択図】図１
2015160195.tif 000002
【特許請求の範囲】
【請求項１】
水の注出口が設けられる下室の上方に上面を閉じた上室が配されるとともに前記上室の周壁の外側に上面を開放した給水口を形成して前記周壁の下端で前記下室の水位を一定に保持する貯水部と、前記貯水部に浸漬されるとともに一対の電極を有して電気分解により機能水を生成する電気分解部とを備え、電気分解により前記電極から発生するガスが前記給水口に導かれるようにしたことを特徴とする機能水生成用タンク。
【請求項２】
前記電極の鉛直上方に前記給水口を配したことを特徴とする請求項１に記載の機能水生成用タンク。
【請求項３】
前記電極の上方を覆ってガスを前記給水口に案内するガイド部を設けたことを特徴とする請求項１に記載の機能水生成用タンク。
【請求項４】
前記電極の少なくとも一方をメッシュ状に形成したことを特徴とする請求項１〜請求項３のいずれかに記載の機能水生成用タンク。
【請求項５】
請求項１〜請求項４に記載の機能水生成用タンクを備えたことを特徴とする機能水発生装置。
【発明の詳細な説明】
【技術分野】
【０００１】
本発明は、機能水を生成する機能水生成用タンク及びそれを用いた機能水発生装置に関する。
【背景技術】
【０００２】
従来の機能水生成用タンクが特許文献１に開示されている。この機能水生成用タンクの側壁には止水弁が配された水の注水口が設けられるとともに内部には電極が複数設けられている。電極間に電圧を印加して水を電気分解することにより、機能水生成用タンク内の水から酸性水を生成することができる。
【０００３】
また、機能水生成用タンクの注水口は給水管を介して水分放散装置に着脱自在に装着される。水分放散装置は貯水槽を有し、貯水槽内にはフロートが設けられている。また、給水管にはフロートの位置に連動して開閉するバルブが設けられている。貯水槽の水位が上昇するに伴ってフロートが上昇すると、バルブが閉められて給水が停止する。また、貯水槽の水位が低下するに伴ってフロートが下降すると、バルブが開けられて給水が行われる。これにより、機能水生成用タンクで生成された酸性水を水分放散装置に供給して蒸気を発生することができる。
【先行技術文献】
【特許文献】
【０００４】
【特許文献１】特開２０１０−１１７０８０号公報
【発明の概要】
【発明が解決しようとする課題】
【０００５】
上記従来の機能水生成用タンクによると、フロートの位置に連動して開閉するバルブを設けると機能水生成用タンクから水分放散装置の給水機構が複雑になり製造コストが高くなる問題があった。
【０００６】
本発明は、製造コストを抑制するとともに簡易な給水構造で機能水を供給可能な機能水生成用タンクを提供することを目的とする。
【課題を解決するための手段】
【０００７】
上記目的を達成するために本発明は、水の注出口が設けられる下室の上方に上面を閉じた上室が配されるとともに前記上室の周壁の外側に上面を開放した給水口を形成して前記周壁の下端で前記下室の水位を一定に保持する貯水部と、前記貯水部に浸漬されるとともに一対の電極を有して電気分解により機能水を生成する電気分解部とを備え、電気分解により前記電極から発生するガスが前記給水口に導かれるようにしたことを特徴としている。
【０００８】
この構成によると、給水口から給水して上室に水を満たした状態で上室の下面を下方に向けると、上室から下室に水が流入して下室の水位が上室の周壁の下端に達するまで水の流入が続く。このとき、上室内は水の流出に伴って減圧して空気が流入するが、下室内の水位が上室の周壁の下端に達すると、空気の流入が不能となって上室上部の空間は減圧される。上室上部の空間における減圧度と大気圧と上室内の水量とのバランスが均等になったとき上室から下室への水の流出が止まる。また、下室内の水が注出口から流出すると、下室内の水位が低下するが、逐次上室内の水が下室内に流入して下室内の水位が上室の周壁の下端で保持される。また、電気分解により電極から発生するガスが給水口を介して外部に排出される。このとき、上室上部の空間にガスが溜まらないため、上室上部の減圧度と大気圧と上室内の水量とのバランスが崩れない。
【０００９】
また、本発明は、上記構成の機能水生成用タンクにおいて、前記電極の鉛直上方に前記給水口を配したことを特徴としている。
【００１０】
また、本発明は、上記構成の機能水生成用タンクにおいて、前記電極の上方を覆ってガスを前記給水口に案内するガイド部を設けたことを特徴としている。
【００１１】
また、本発明は、上記構成の機能水生成用タンクにおいて、前記電極の少なくとも一方をメッシュ状に形成したことを特徴としている。
【００１２】
また、本発明は、上記構成の機能水生成用タンクにおいて、前記ガイド部が前記周壁の下部を傾斜して形成されることを特徴としている。
【００１３】
また、本発明は、上記構成の機能水生成用タンクにおいて、前記注出口を電極の上端より上方に配したことを特徴としている。
【００１４】
また、本発明は、上記構成の機能水生成用タンクにおいて、前記電極を立設したことを特徴としている。
【００１５】
また、本発明は、上記構成の機能水生成用タンクにおいて、前記電極を傾斜して配置したことを特徴としている。
【００１６】
また、本発明は、上記構成の機能水生成用タンクにおいて、前記電極の少なくとも一方がイオン吸着電極により形成されることを特徴としている。
【００１７】
また、本発明は、上記構成の機能水生成用タンクにおいて、前記イオン吸着電極が活性炭から成ることを特徴としている。
【００１８】
また、本発明は、上記構成の機能水発生装置であって、前記下室の水位より下方に超音波振動子を配したことを特徴としている。
【００１９】
また、本発明は、機能水発生装置であって、上記構成の機能水生成用タンクを備えたことを特徴としている。
【発明の効果】
【００２０】
本発明によると、注出口から流出した水と同量の水が上室から下室に流入して下室内の水位が上室の周壁の下端で一定に保持される。このため、注出口の接続先で減少した水量分だけ逐次、水を供給することができる。また、電気分解により電極から発生するガスが給水口を介して外部に排出され、上室上部の空間にガスが溜まらない。このため、上室上部の減圧度と大気圧と上室内の水量とのバランスが崩れない。したがって、電極から発生するガスに影響を受けることなく注出口の接続先で減少した水量分だけ逐次、水を供給し続けることができる。これにより、製造コストを抑制するとともに簡易な給水構造で機能水を供給可能な機能水生成用タンクを提供することができる。また、電気分解により電極から発生するガスが給水口を介して外部に排出され、上室内にガスが流入しないため、安全性を向上させることができる。
【図面の簡単な説明】
【００２１】
【図１】本発明の第１実施形態に係る機能水発生装置を概略的に示す側面断面図
【図２】本発明の第１実施形態に係る機能水生成用タンクに給水する状態を説明する側面断面図
【図３】本発明の第２実施形態に係る機能水発生装置を概略的に示す側面断面図
【図４】本発明の第３実施形態に係る機能水発生装置を概略的に示す側面断面図
【図５】本発明の第４実施形態に係る機能水発生装置を概略的に示す側面断面図
【発明を実施するための形態】
【００２２】
［第１実施形態］
以下に本発明の実施形態を図面を参照して説明する。図１は第１実施形態に係る機能水発生装置１の側面断面図であり、図２は機能水生成用タンク１０に給水する状態を説明する側面断面図である。
【００２３】
本発明の機能水発生装置１は着脱可能なタンク（機能水生成用タンク）１０と水分放散装置２０とを備える。水分放散装置２０は貯水槽２１と送風機２３とガイド部２４とを有し、貯水槽２１内部には超音波振動子２２が配される。超音波振動子２２は貯水槽２１内の水を水蒸気（スチーム）または微少な水滴（ミスト）の形態で空中に放散する。放散されたスチーム又はミストは送風機２３から発生した気流に乗ってガイド部２４に沿って送出され、送風口２５を介して外部に吹出す。
【００２４】
貯水槽２１とタンク１０とは給水管３０を介して接続されている。タンク１０は貯水部１５と電気分解部１１とを備え、貯水部１５は下室１２と上室１３から成る。電気分解部１１は貯水部１５に浸漬されるとともに第１電極１１ａと第２電極１１ｂとを有して電気分解により機能水を生成する。
【００２５】
なお、水分放散装置２０は超音波振動子２２以外の噴霧装置を用いることもできる。例えば、加熱式（スチーム式）や気化式（ヒートレスファン式）の水蒸気発生装置を用いることができる。また、これらから選ばれる複数の装置を組み合わせた装置を用いることもでき、例えば、加熱式と気化式を組み合わせたハイブリッド式の水蒸気発生装置を用いることもできる。
【００２６】
タンク１０は給水管３０から取り外し可能な容器であり、上部に持ち運び用の取手部４０が設けられている。また、貯水部１５の下室１２は下面を閉じて底部から所定の高さに水の注出口１２ａが設けられている。上室１３は下室１２の上方に配されて上面を閉じて形成されている。また、上室１３の周壁１３ａの外側に上面を開放した給水口１４が形成され、給水口１４を介して市水等を直接入れることができる（図２参照）。また、給水口１４は立設した第１電極１１ａ及び第２電極１１ｂの鉛直上方に配されている。
【００２７】
給水口１４から給水して上室１３に水を満たした状態で下室１２の上方に上室１３が配されるようにタンク１０を配置すると、上室１３から下室１２に水が流入する。下室１２に流入した水は注出口１２ａから給水管３０を介して水分放散装置２０の貯水槽２１に流入する。貯水槽２１は上面が外気に解放されており、下室１２の水位と貯水層２１の水位は一致しながら上昇する。そして、下室１２内の水位が上室１３の周壁１３ａの下端に達するまで水の流入が続き、下室１２内の水位が上室１３の周壁１３ａの下端に達すると、空気の流入が不能となって上室１３上部の空間は減圧される。上室１３上部の空間における減圧度と大気圧と上室１３内の水量とのバランスが均等になったとき上室１３から下室１２内の水の流出が止まる。
【００２８】
貯水槽２１内の水位は水蒸気の放散にともなって低下し、併せて下室１２内の水位も低下する。このとき、逐次上室１３内の水が下室１２内に流入するため、下室１２内の水位は上室１３の周壁１３ａの下端で保持される。併せて、貯水槽２１内の水位も上室１３の周壁１３ａの下端にある水位点に保持される。また、超音波振動子２２は貯水槽２１内において上室１３の周壁１３ａの下端にある水位点より下方に配されている。これにより、上室１３に水が溜まっている間、超音波振動子２２は貯水槽２１内に浸漬した状態にあり、常にスチーム又はミストの放散が可能な状態となる。
【００２９】
電気分解部１１の第１電極１１ａ及び第２電極１１ｂは平板状の電極であり、互いに平行に立設される。第１電極１１ａは金属電極であり、水の電気分解が生じやすい金属（例えば白金）で表面をコーティングしたチタン電極等を用いる。なお、チタン単体からなる電極や、白金単体からなる電極を用いてもよい。また、平板状以外に、メッシュ状、棒状の第１電極１１ａを用いてもよい。
【００３０】
第２電極１１ｂはイオン吸着電極により形成される。イオン吸着電極としては導電性の炭素材料からなる炭素電極が用いられる。この炭素電極は粒状活性炭を凝集させて形成される。粒状活性炭を用いることで電極の表面に多孔質吸着面を形成することができる。これにより、市水等の水中に溶存しているＭｇイオン、Ｃａイオンなどの硬度成分を多孔質吸着面に効果的に吸着させることができる。また、粒状活性炭と導電性カーボンとを凝集させることによって形成された導電性シートを用いてもよい。また、活性炭粒子を固めて形成された活性炭ブロックであってもよい。また、活性炭繊維を用いて形成された活性炭繊維クロスであってもよい。
【００３１】
なお、第２電極１１ｂの上端は注出口１２ａより下方に配される。これにより、タンク１０内の水位は注出口１２ａより下方に低下しないため、第２電極１１ｂが下室１２内の水の中に浸漬している状態に維持される。従って、第２電極１１ｂの導電性物質が水から長時間露出して乾燥によって劣化するのを防ぐことができる。
【００３２】
第１電極１１ａがアノード、第２電極１１ｂがカソードとなるように電圧を印加することにより、第１電極１１ａでは式（１）、（２）に示すように、水素イオン（Ｈ+）が生成するとともに酸素ガスや塩素ガスが発生する。
【００３３】
Ｈ２Ｏ→１/２Ｏ２＋２Ｈ＋＋２e−・・・（１）
２Ｃｌ→Ｃｌ２＋２e−            ・・・（２）
【００３４】
一方、第２電極１１ｂでは水道水等の水中に溶存しているＭｇイオン、Ｃａイオンなどの硬度成分（Ｍ）のイオン（Ｍ２＋）が式（３）に示すようにイオン吸着電極の有する多孔質吸着面を利用して硬度成分Ｍとなって吸着する。
【００３５】
Ｍ２＋＋２e−→Ｍ・・・（３）
【００３６】
また、第２電極１１ｂでは式（４）に示すように水酸化物イオンが生成するとともに水素ガスが発生する。このとき、第２電極１１ｂにイオン吸着電極を用いており、金属電極を用いた場合と比較して水酸化物イオンの発生は限定的である。このため、第１電極１１ａで発生する水素イオンが増加して水のｐＨが減少し、弱酸性の機能水が生成される。
【００３７】
Ｈ２Ｏ＋２e−→Ｈ２＋２ＯＨ−    ・・・（４）
【００３８】
電気分解部１１により生成される酸性水のｐＨは３以上５以下であることが好ましい。この機能水を水分放散装置２０においてミスト化又はスチーム化して空気中に噴射することにより、酸性の機能水の制菌効果によって細菌感染の予防が可能となる。また、人体に対しては肌に対するアストリンゼン効果による皮膚等の活性化、肌の引き締め効果がある。
【００３９】
また、上記式（４）に示すように第２電極１１ｂでは水素ガスが発生するが、水素ガスの一部は水中に溶解する。このとき、水素ガスが溶存した機能水がタンク１０内で対流循環し、タンク１０内の水の酸化還元電位（Oxidation-Reduction Potential（ＯＲＰ））が−１００〜＋１００ｍＶまで下がる。なお、通常の水道水のＯＲＰは＋２５０〜＋４００ｍＶ程度である。
【００４０】
酸性水中の酸化還元電位を下げることにより、肌に対するアンチエージング効果（参考文献：温泉科学、第５５巻、ｐ．５５〜６３、２００５年）がより向上する。なお、酸性水を２槽式電解槽で生成すると、酸性水が生成する槽ではＯＲＰも＋５００ｍＶ以上に増加する。このため、酸性水によりアストリンゼン効果はあるが、酸化作用も併せて有するため、理美容用途として積極的に使用することができない。
【００４１】
なお、第１電極１１ａで発生する酸素ガス及び塩素ガス、第２電極１１ｂで発生する水素ガスは浮力で上方に上昇して給水口１４からタンク１０の外部に排出される。これにより、第１電極１１ａ、第２電極１１ｂで発生したガスが上室１３上部の空間に溜まらない。このため、上室１３上部の減圧度と大気圧と上室内の水量とのバランスが崩れて上室１３内の水が下室１２内に流入することもない。また、上室１２上部の空間に可燃性の水素ガスや助燃性の酸素ガスが溜まるのを防ぎ、タンク１０の安全性を向上させることができる。
【００４２】
タンク１０内の水位が注出口１２ａまで低下すると、タンク１０内の水は水分放散装置２０へ供給されない。このとき、第１電極１１ａ及び第２電極１１ｂに電気分解時とは逆向きの電圧を印加する。つまり、第１電極１１ａである金属電極がカソード、第２電極１１ｂである炭素電極がカソードとなるように電圧を印加する。
【００４３】
これにより、第２電極１１ｂの炭素電極表面に吸着した硬度成分Ｍが式（５）に示すようにＭ２＋となって水中に溶出する。
【００４４】
Ｍ→Ｍ２＋＋２e−・・・（５）
【００４５】
一方、第１電極１１ａの金属電極の表面では、上記式（４）に示すように水素ガスとＯＨ-イオンが発生する。これにより、タンク１０内の残留水中にイオン吸着電極からＣａイオン、Ｍｇイオン等の硬度イオン成分を溶出させるとともに、水酸化物イオンが増加して水のｐＨは上昇してアルカリ化する。
【００４６】
なお、残留水に印加する電流および時間は吸着した硬度成分を脱着するのに充分な時間であればよい。例えば、８００ｍLの残留水に対して５００ｍＡの電流を１０分間、又は２５０ｍＡの電流を２０分間印加すればよい。
【００４７】
このとき、第２電極１１ｂの上端は注出口１２ａより下方にあるため、第２電極１１ｂは下室１２内の水の中に浸漬している状態に維持され、硬度イオン成分を水中に確実に溶出することができる。また、逆電圧を印加後にタンク１０内に硬度イオン成分を多く含む残留水が生成されるが、残留水は次回の給水前に給水口１４から廃棄することができる。また、給水口１４は第１電極１１ａ及び１１ｂの鉛直上方に配されており、給水時にイオン脱着によって放出された硬度イオン成分やＣａＣＯ３やＭｇＣＯ３といったスケール成分を直接洗浄して除去することもできる。
【００４８】
なお、第１電極１１ａ及び第２電極１１ｂは種々変更可能であり、様々な機能水を生成することができる。例えば、第１電極１１ａ及び第２電極１１ｂに金属電極（白金で表面をコーティングしたチタン電極、サイズ：９０ｍｍ×７０ｍｍ）を用いた場合、第１電極１１ａ及び第２電極１１ｂに１０ｍｍの電極間距離で５００ｍＡの電流を３０〜４０分程度印加（電圧値：３５〜４５Ｖ）することにより、タンク１０内の４Ｌの水（ｐＨ＝７．６、硬度４５ｍｇ／Ｌ）に対して次亜塩素酸濃度が０．６〜０．８ｐｐｍ（ｐＨ＝８〜８．２）の機能水を生成することができる。
【００４９】
このとき、式（６）、式（７）に示すように、第１電極１１ａでは水素イオン（Ｈ+）が生成するとともに酸素ガスや塩素ガスが発生する。
【００５０】
Ｈ２Ｏ→１/２Ｏ２＋２Ｈ＋＋２e−・・・（６）
２Ｃｌ→Ｃｌ２＋２e−            ・・・（７）
【００５１】
一方、式（８）に示すように、第２電極１１ｂでは式（６）におけるＨ＋と略同数の水酸化物イオン（ＯＨ−）が生成するとともに水素ガスが発生する。
【００５２】
Ｈ２Ｏ＋２e−→Ｈ２＋２ＯＨ−    ・・・（８）
【００５３】
また、式（７）において発生する塩素ガスは式（９）、式（１０）に示すように水に容易に溶け、次亜塩素酸、及び次亜塩素酸イオンに変化する。
【００５４】
【化１】
2015160195.tif 000003
【００５５】
これにより、電気分解によってほぼ中性でありながら、次亜塩素酸の濃度を増加させた機能水を生成することができる。また、第１電極１１ａ付近で次亜塩素酸の濃度が高くなるが、上室１３及び下室１２内での水の対流と次亜塩素酸の拡散によって３０〜４０分程度の電気分解でタンク１０内全体の水の次亜塩素酸濃度を増加することができる。
【００５６】
なお、第１電極１１ａにはメッシュ形状の金属電極を用いることが好ましい。これにより、第１電極１１ａをタンク１０内の水が通水することができ、第１電極１１ａ付近で発生した次亜塩素酸をタンク１０内の水とより早く混和することができる。
【００５７】
また、第１電極１１ａに用いる金属電極のコート素材によって次亜塩素酸イオンの濃度は異なる値を示す。例えば、白金、金、パラジウム、ロジウム、イリジウムの内、いずれか１つの金属（またはその合金）の他、それらの酸化物を用いることができる。白金に替えて酸化イリジウムをコートすると、次亜塩素酸濃度を飛躍的に増加させることができる。
【００５８】
本実施形態によると、注出口１２ａから流出した水と同量の水が上室１３から下室１２に流入して下室１２内の水位が上室１３の周壁１３ａの下端で一定に保持される。このため、注出口１２ａの接続先である貯水槽２１で減少した水量分だけ逐次、水を供給することができる。また、電気分解により第１電極１１ａ及び第２電極１１ｂから発生するガスが給水口１４を介して外部に排出され、上室１３上部の空間にガスが溜まらない。このため、上室１３上部の減圧度と大気圧と上室１３内の水量とのバランスが崩れない。したがって、第１電極１１ａ及び第２電極１１ｂから発生するガスに影響を受けることなく貯水槽２１で減少した水量分だけ逐次、水を供給し続けることができる。これにより、製造コストを抑制するとともに簡易な給水構造で機能水を供給可能なタンク１０を提供することができる。
【００５９】
また、電気分解により第１電極１１ａ及び第２電極１１ｂから発生するガスが給水口１４を介して外部に排出され、上室１３内にガスが流入しないため、安全性を向上させることができる。
【００６０】
また、第１電極１１ａ及び第２電極１１ｂの鉛直上方に給水口１４を配したことにより、第１電極１１ａ及び第２電極１１ｂで発生するガスは浮力で上方に上昇して給水口１４からタンク１０の外部に排出される。これにより、第１電極１１ａ及び第２電極１１ｂで発生するガスを簡易な構造で給水口１４に導くことができる。
【００６１】
また、注出口１２ａを第１電極１１ａ及び第２電極１１ｂの上端より上方に配すことにより、タンク１０内の水位が注出口１２ａまで低下した後も第１電極１１ａ及び第２電極１１ｂが下室１２内の水の中に浸漬している状態に維持される。従って、第１電極１１ａ及び第２電極１１ｂの導電性物質が水から長時間露出して乾燥によって劣化するのを防ぐことができる。
【００６２】
また、第１電極１１ａ又は第２電極１１ｂの少なくとも一方をメッシュ状に形成することにより、電極を水が通水するため、第１電極１１ａ又は第２電極１１ｂ付近で発生した機能水をタンク１０内の水とより早く混和することができる。
【００６３】
また、第１電極１１ａ及び第２電極１１ｂを立設することにより、給水口１４を小さく形成してタンク１０内の容量を大きくすることができる。
【００６４】
また、第２電極１１ｂをイオン吸着電極により形成することで、第２電極１１ｂをカソードとなるように電圧を印加することで第２電極１１ｂでは水道水等の水中に溶存しているＭｇイオン、Ｃａイオンなどの硬度成分（Ｍ）のイオン（Ｍ２＋）を第２電極１１ｂに吸着させることができる。
【００６５】
また、イオン吸着電極を活性炭で構成することにより、イオン吸着電極に多孔質吸着面が形成され、硬度成分（Ｍ）を効率よく吸着させることができる。
【００６６】
また、超音波振動子２２は貯水槽２１内において上室１３の周壁１３ａの下端にある水位点より下方に配されている。これにより、上室１３に水が溜まっている間、超音波振動子２２は貯水槽２１内に浸漬しており、常にスチーム又はミストの放散が可能な状態となる。
【００６７】
＜第２実施形態＞
図３は第２実施形態に係る機能水発生装置１を概略的に示す側面断面図である。なお、第１実施形態と同一部分は同一符号を付して説明を省略する。第２実施形態に係るタンク１０は第１電極１１ａ及び第２電極１１ｂは水平方向に傾斜して設置されている。また、上室１３の周壁１３ａには第１電極１１ａと第２電極１１ｂの上方を覆うガイド部１３ｂが形成されている。ガイド部１３ｂは上室１３の周壁１３ａの下部を傾斜して形成される。第１電極１１ａ及び第２電極１１ｂを水平方向に傾斜して設置することにより、注出口１２ａをより下方に配しても第１電極１１ａ及び第２電極１１ｂが下室１２内の水の中に浸漬している状態に維持される。これにより、タンク１０内に残留する残留水が少なくなり、より多くの水を水分放散装置２０に給水することができる。
【００６８】
なお、タンク１０内の水位はガイド部１３ｂの下端で保持される。また、第１電極１１ａ及び第２電極１１ｂで発生したガスは浮力で上方に上昇し、ガイド部１３ｂを伝って給水口１４からタンク１０の外部に排出される。
【００６９】
第１電極１１ａに金属電極を用い、第２電極１１ｂに炭素電極を用いて第１電極１１ａを第２電極１１ｂの上方に配した場合、第２電極１１ｂで発生したガスを上方に逃がすために第１電極１１ａをメッシュ状に形成することが好ましい。
【００７０】
また、ガイド部１３ｂが形成される上室１３の周壁１３ａが下室１２の周壁１２ｂと同一面又は周壁１２ｂより外周側に突出して形成されることが好ましい。これにより、給水口１４から埃が混入するのを防止することができる。
【００７１】
＜第３実施形態＞
図４は第３実施形態に係るタンク１０を概略的に示す斜視図である。なお、第１実施形態と同一部分は同一符号を付して説明を省略する。第３実施形態に係るタンク１０は給水口１４の上方に蓋部５０が設けられ、給水口１４が覆われている。蓋部５０は軽量のプラスチックや不織布で形成されるとともに、給水口１４を密封するものではない。これにより、第２電極１１ｂで発生したガスをタンク１０の外部に逃がしながら、給水口１４から埃等の異物が混入するのを防止することができる。
【００７２】
＜第４実施形態＞
図５は第４実施形態に係るタンク１０を概略的に示す斜視図である。なお、第１実施形態と同一部分は同一符号を付して説明を省略する。第４実施形態に係るタンク１０には第１電極１１ａ及び第２電極の上方にガイド板６０が設けられている。ガイド板６０は上室１３の周壁１３ａの内側から屈曲して延びる棒状の支持部６１により支持固定され、第１電極１１ａ及び第２電極１１ｂを覆っている。また、ガイド板６０は給水口１４に近づくように傾斜しており、第１電極１１ａ及び第２電極１１ｂで発生したガスは浮力で上方に上昇し、ガイド板６０を伝って給水口１４からタンク１０の外部に排出される。これにより、上室１３の容量を大きく設計することができ、上室１３内に貯水できる水量を増加させることができる。
【００７３】
なお、本発明は上記実施形態に限定されない。例えば、第１実施形態〜第４実施形態において第１電極１１ａ及び第２電極１１ｂに炭素電極等のイオン吸着電極を用いてもよい。これにより、第１電極１１ａがアノードとなり、第２電極１１ｂがカソードとなるように電気分解が起こらない低い電圧を印加することで第１電極１１ａに溶液内の陰イオンを吸着させ、第２電極１１ｂに溶液内の陽イオンを吸着させることができる。
【００７４】
また、電気分解部１１は第１電極１１ａ、第２電極１１ｂを一対設ける場合に限らず、３個以上の電極で構成してもよい。例えば、２つの金属電極と１つの炭素電極で構成することにより、これらの電極に対してアノード及びカソードを組み合わせて電圧印加することにより、上述した軟質弱酸性水、硬質弱アルカリ性水、中性で高濃度次亜塩素酸水を生成することができる。
【００７５】
また、タンク１０には水道水以外に水素イオン（Ｈ+）および水酸化物イオン（ＯＨ-）以外の少なくとも１種のイオンを含む溶液を給水して電気分解することもできる。例えば、水と有機溶媒との混合溶媒等であり、有機溶媒としては、例えば、エタノールなどのアルコールや、アセトンなどのケトンや、プロピレンカーボネート、エチレンカーボネートおよびジメチルカーボネートが挙げられる。
【産業上の利用可能性】
【００７６】
本発明によると、加湿器等の機能水発生装置に利用することができる。
【符号の説明】
【００７７】
１                      機能水発生装置
１０                    タンク（機能水生成用タンク）
１１                    電気分解部
１１ａ                  陽極
１１ｂ                  陰極
１２                    下室
１３                    上室
１３ａ                  周壁
１４                    給水口
１５                    貯水部
２０                    水分放散装置
２１                    貯水槽
２２                    超音波振動子
３０                    給水管
【図１】
2015160195.tif 000004
【図２】
2015160195.tif 000005
【図３】
2015160195.tif 000006
【図４】
2015160195.tif 000007
【図５】
2015160195.tif 000008